(57)【要約】【課題】スクリーンの前後幅の中央部からずれた位置で昇降コードをスクリーンに挿通したプリーツスクリーンにおいて、昇降操作時にスクリーンからボトムレールに作用する力によるボトムレールの傾動を防止し得るプリーツスクリーンを提供する。【解決手段】スクリーン４の前後幅の中央部からずれた位置で昇降コード５をスクリーン４の昇降コード保持部３に挿通し、昇降コード５の下端にボトムレール１１を取着して、該ボトムレールの昇降操作によりスクリーン４を昇降可能としたプリーツスクリーンにおいて、ボトムレール１１にピッチ保持コード１４の下端を取着し、ボトムレール１１を下限まで下降させたときピッチ保持コード１４を緊張させて、ボトムレール１１を水平方向に保持する。【選択図】図１
0003133484.tif 000002
【実用新案登録請求の範囲】
【請求項１】
スクリーンの前後幅の中央部からずれた位置で昇降コードをスクリーンの昇降コード保持部に挿通し、前記昇降コードの下端にボトムレールを取着して、該ボトムレールの昇降操作により前記スクリーンを昇降可能としたプリーツスクリーンにおいて、
前記ボトムレールにピッチ保持コードの下端を取着し、前記ボトムレールを下限まで下降させたとき前記ピッチ保持コードを緊張させて、前記ボトムレールを水平方向に保持することを特徴とするプリーツスクリーン。
【請求項２】
前記ボトムレールは、水平部の後端部に垂直部を設け、前記ピッチ保持コードの下端を前記垂直部に取着し、前記昇降コードの下端を前記水平部の後端部に取着して、前記スクリーンの引き延ばしに反発する力によるボトムレールの傾動を前記ピッチ保持コードで阻止することを特徴とする請求項１記載のプリーツスクリーン。
【請求項３】
前記ボトムレールは、前記昇降コードの取付位置の下方に重心を位置させたことを特徴とする請求項１記載のプリーツスクリーン。
【請求項４】
前記水平部と垂直部の少なくともいずれかに錘を取着したことを特徴とする請求項３記載のプリーツスクリーン。
【請求項５】
前記スクリーンの下端を前記水平部の前端部に保持したことを特徴とする請求項２乃至４のいずれか１項に記載のプリーツスクリーン。
【考案の詳細な説明】
【技術分野】
【０００１】
この考案は、プリーツスクリーンのボトムレールに関するものである。
【背景技術】
【０００２】
プリーツスクリーンは、上下方向にジクザグ状に折り曲げ可能としたスクリーンをヘッドボックスから吊下支持し、そのスクリーンを操作装置により昇降して採光量を適宜に調節するものである。
【０００３】
このようなプリーツスクリーンの一種類として、図４（ａ）に示すように、上下方向中間部に折り目１を設けた生地２の上下両端縁に接合片３をそれぞれ設け、その接合片３を他の生地の接合片３に溶着等の手段により接合して、スクリーン４を形成したものがある。
【０００４】
このようなスクリーン４を備えたプリーツスクリーンでは、接合片（昇降コード保持部）３に昇降コード５を挿通し、その昇降コード５の下端にボトムレールを吊下支持し、スクリーン４の下縁をボトムレールに取着している。そして、そのボトムレールを昇降することにより図４（ａ）に示すようにスクリーン４を下方へ引き延ばし、あるいは同図（ｂ）に示すようにスクリーン４を上方へ畳み込み可能である。
【０００５】
従って、このスクリーン４では昇降コードを挿通する挿通孔はスクリーン背面の接合片３に設けられるので、その挿通孔からの光洩れが防止される。
上記スクリーン４は、下方へ引き延ばしたとき、図５（ａ）に示すように、折り目１の近傍ではスクリーン４を上下方向に引き伸ばす力に反発する力Ｆ１が発生し、接合片３近傍においても、スクリーン４を上下方向に引き伸ばす力に反発する力Ｆ２が発生する。
【０００６】
また、スクリーン４を上方へ畳み込んだとき、図５（ｂ）に示すように、接合片３を積層させて上下方向に押圧する力Ｆ４が作用すると、生地２の折り目１近傍部分では、畳み込みに反発する力Ｆ３が発生する。
【０００７】
通常、ボトムレール６の前後幅は、上方に畳み込んだスクリーン４の前後幅程度に形成され、重心Ｗはその前後方向中央部に位置している。このようなボトムレール６では、図６（ａ）に示すように、ボトムレール６がその昇降範囲の中間位置まで下降した状態では、ボトムレール６の後端近傍が昇降コード５に吊下支持される状態となるため、ボトムレール６の前端側が下がる方向に傾いて吊下支持される。
【０００８】
また、ボトムレール６が下限まで下降されると、図６（ｂ）に示すように、スクリーン４の引き延ばしに反発する力Ｆ１により、ボトムレール６の前端側が持ち上がる方向に傾いて吊下支持される。
【０００９】
また、ボトムレール６が上限まで引き上げられると、図６（ｃ）に示すように、スクリーン４の折り目部分が拡がろうとする力Ｆ３と積層されたスクリーンの荷重とが加わって、ボトムレール６の前端側が下がる方向に傾いて吊下支持される。
【００１０】
従って、ボトムレール６の昇降操作によりボトムレール６が前後方向に傾き、その傾き方向もボトムレール６の高さによって変化するため、美観上好ましくない。
図７は、ボトムレール６の昇降範囲の中間位置で同ボトムレール６が水平となるように、ボトムレール６の前後方向後端部に重心Ｗを位置させた場合を示す。この場合には、同図（ａ）に示すように、ボトムレール６を下限まで下降させると、ボトムレール６の前端側が大きく持ち上げられて傾く。同図（ｂ）に示すように、ボトムレール６が中間位置まで引き上げられると、スクリーン４の前端側でボトムレール６を下方へ押し下げようとする力と、ボトムレール６の重心Ｗとが釣り合って、ボトムレール６はほぼ水平方向に保持される。
【００１１】
しかし、ボトムレール６を上限近傍まで引き上げると、図７（ｃ）に示すように、力Ｆ３によりスクリーン４の折り目部分が拡がろうとするため、ボトムレール６の前端側が僅かに下がる方向に傾いて吊下支持される。
【００１２】
図８は、重心Ｗをボトムレール６の前端側に位置させた場合を示す。この場合には、同図（ａ）に示すように、ボトムレール６を下限まで下降させると、ボトムレール６はほぼ水平方向に保持されるが、同図（ｂ）に示すように、ボトムレール６が中間位置まで引き上げられると、スクリーン４の前端側でボトムレール６を下方へ押し下げようとする力Ｆ３により、ボトムレール６の前端側が下がる。
【００１３】
また、ボトムレール６を上限近傍まで引き上げると、図８（ｃ）に示すように、力Ｆ３がさらに増大し、ボトムレール６がさらに傾いて吊下支持される。
【特許文献１】実公昭５８−１３８１７号公報
【特許文献２】特許第２６０６９４４号公報
【特許文献３】特許第３２４７７９２号公報
【考案の開示】
【考案が解決しようとする課題】
【００１４】
上記のようなプリーツスクリーンでは、スクリーンを昇降するためにボトムレールを昇降すると、ボトムレールが前後方向に傾動して、美観上好ましくない。
特許文献１にはカーテン下端の支持板に重錘を取り付けて、支持板のバランスを確保する構成が開示されているが、カーテンの昇降時に支持板の傾動を防止するための構成は開示されていない。
【００１５】
特許文献２には、上記スクリーンと同様なスクリーンを使用したプリーツカーテンが開示されているが、ウェイトバーの傾動防止に関する構成は開示されていない。
特許文献３には、ボトムレールの中心線上からオフセットした位置で昇降コードに吊下支持されるボトムレールの重心を、昇降コードによる吊下げ位置の真下に位置させて、ボトムレールを水平方向に吊下支持するプリーツカーテンが開示されている。しかし、ボトムレールの昇降操作時にスクリーンからボトムレールに作用する力によるボトムレールの傾きを抑制する構成は開示されていない。
【００１６】
この考案の目的は、スクリーンの前後幅の中央部からずれた位置で昇降コードをスクリーンに挿通したプリーツスクリーンにおいて、昇降操作時にスクリーンからボトムレールに作用する力によるボトムレールの傾動を防止し得るプリーツスクリーンを提供することにある。
【課題を解決するための手段】
【００１７】
請求項１では、スクリーンの前後幅の中央部からずれた位置で昇降コードをスクリーンの昇降コード保持部に挿通し、前記昇降コードの下端にボトムレールを取着して、該ボトムレールの昇降操作により前記スクリーンを昇降可能としたプリーツスクリーンにおいて、前記ボトムレールにピッチ保持コードの下端を取着し、前記ボトムレールを下限まで下降させたとき前記ピッチ保持コードを緊張させて、前記ボトムレールを水平方向に保持する。
【００１８】
請求項２では、前記ボトムレールは、水平部の後端部に垂直部を設け、前記ピッチ保持コードの下端を前記垂直部に取着し、前記昇降コードの下端を前記水平部の後端部に取着して、前記スクリーンの引き延ばしに反発する力によるボトムレールの傾動を前記ピッチ保持コードで阻止する。
【００１９】
請求項３では、前記ボトムレールは、前記昇降コードの取付位置の下方に重心を位置させた。
請求項４では、前記水平部と垂直部の少なくともいずれかに錘を取着した。
【００２０】
請求項５では、前記スクリーンの下端を前記水平部の前端部に保持した。
【考案の効果】
【００２１】
本考案によれば、スクリーンの前後幅の中央部からずれた位置で昇降コードをスクリーンに挿通したプリーツスクリーンにおいて、昇降操作時にスクリーンからボトムレールに作用する力によるボトムレールの傾動を防止し得るプリーツスクリーンを提供することができる。
【考案を実施するための最良の形態】
【００２２】
（第一の実施の形態）
以下、この考案を具体化した一実施の形態を図面に従って説明する。前記従来例と同一構成部分は同一符号を付して説明する。
【００２３】
図１に示すプリーツスクリーンは、上下方向中間部に折り目１を設けた生地２の上下両端縁に接合片３がそれぞれ設けられ、その接合片３が他の生地の接合片３に溶着等の手段により接合されて、スクリーン４が形成されている。
【００２４】
前記接合片３にはヘッドボックス（図示しない）から吊下支持される昇降コード５が挿通され、その昇降コード５の下端にボトムレール１１が吊下支持されている。そして、昇降コード５を介してボトムレール１１を昇降することにより、図１（ａ）に示すようにスクリーン４を下方へ引き延ばし、あるいは同図（ｃ）に示すようにスクリーン４を上方へ畳み込み可能となっている。
【００２５】
前記ボトムレール１１は、水平部１２と、その水平部１２の後端部から上方に延びる垂直部１３とで断面Ｌ型に形成され、水平部１２の後端近傍に重心Ｗが位置している。そして、その重心Ｗの上方で前記昇降コード５が取り付けられている。
【００２６】
前記スクリーン４の下端は、前記水平部１２の前端部でボトムレール１１に取着されている。また、スクリーン４を上方へ畳み込んだとき、スクリーン４の前端と水平部１２の前端とは前後方向にほぼ揃うように位置し、スクリーン４の後端は垂直部１３に近接している。
【００２７】
前記昇降コード５の近傍には、前記ヘッドボックスからピッチ保持コード１４が垂下されている。ピッチ保持コード１４は、スクリーン４を下方へ引き延ばしたとき、例えば１段おきの接合片３の間隔を等間隔に保持するようになっている。
【００２８】
前記ピッチ保持コード１４の下端は、前記ボトムレール１１の垂直部１３に接続され、ボトムレール１１が下限まで下降したとき、図１（ａ）に示すように、ボトムレール１１の水平部１２が水平方向に保持された状態で、ピッチ保持コード１４がヘッドボックスとボトムレール１１との間で緊張されるようになっている。
【００２９】
上記のように構成されたプリーツスクリーンでは、図１（ａ）に示すように、ボトムレール１１を下限まで下降させてスクリーン４を下方へ引き延ばすと、スクリーン４の引き延ばしに反発する力Ｆ２が水平部１２の先端部に作用する。しかし、ピッチ保持コード１４が緊張されていて垂直部１３の矢印Ｂ方向への回動が阻止されるため、水平部１２が水平方向に保持される。
【００３０】
また、図１（ｂ）に示すように、ボトムレール１１が中間位置まで引き上げられると、水平部１２上にスクリーン４の下部が積層され、ピッチ保持コード１４に弛みが生じる。すると、力Ｆ２によりボトムレール１１が矢印Ｂ方向に回動する。
【００３１】
また、図１（ｃ）に示すように、ボトムレール１１が上限近傍まで引き上げられると、水平部１２上にスクリーン４が積層されて、スクリーン４の畳み込みに反発する力Ｆ３が増大するため、ピッチ保持コード１４が弛んでも、水平部１２が水平方向に保持される。
【００３２】
また、力Ｆ３の増大により、水平部１２の先端部が下方へ回動しようとしても、垂直部１３が畳み込まれたスクリーン４の接合片３の端縁に当接するため、ボトムレール１１の傾動が阻止される。
【００３３】
上記のようなプリーツスクリーンでは、次に示す作用効果を得ることができる。
（１）ボトムレール１１の重心Ｗを、昇降コード５の取付位置の下方に位置させたので、ボトムレール１１を昇降してスクリーン４を昇降操作するとき、ボトムレール１１の傾動を抑制することができる。
（２）スクリーン４の前後幅の中央部からずれた位置で昇降コード５をスクリーン４に挿通したプリーツスクリーンにおいても、ボトムレール１１の重心Ｗを、昇降コード５の取付位置の下方に位置させたので、スクリーン４の昇降操作時のボトムレール１１の傾動を抑制することができる。
（３）ボトムレール１１の水平部１２の後端に上方に延びる垂直部１３を設けて断面Ｌ形とし、水平部１２の後端部で昇降コード５を取着することにより、ボトムレール１１の重心Ｗの上方に昇降コード５を取着することができる。
（４）ピッチ保持コード１４の下端をボトムレール１１に接続し、ボトムレール１１を下限まで下降させたとき、水平部１２が水平方向に保持された状態でピッチ保持コード１４が緊張されるように構成したので、下限まで下降されたボトムレール１１の水平部１２を水平方向に保持することができる。
（５）ボトムレール１１を上限近傍まで引き上げたとき、水平部１２上で積層された接合片３で垂直部１７を支持して、ボトムレール１１の傾動を抑制することができる。
（第二の実施の形態）
図２は、前記ボトムレールの別例を示す。第一の実施の形態と同一構成部分は、同一符号を付して説明する。
【００３４】
このボトムレール１５は、水平部１６の後端部から下方に向かって延びる垂直部１７が形成され、その水平部１６と垂直部１７は形材で一体に形成されている。前記水平部１６には、生地押さえ１８でスクリーン４の下端部が水平部１６の前端部に保持され、前記垂直部１７内には板状の錘１９が縦方向に取着されている。また、水平部１６の後端部に昇降コード５が取着され、その昇降コード５の取付位置は、前記錘１９の保持位置より僅かに前方となっている。
【００３５】
そして、水平部１６と垂直部１７の形状と錘１９により、ボトムレール１５の重心Ｗは、昇降コード５の取付位置の下方に位置している。
垂直部１７の上端部にはピッチ保持コード１４の下端が取着され、ボトムレール１５を下限まで下降させてスクリーン４を下方へ引き延ばしたとき、ピッチ保持コード１４により折り目１の間隔が一定に保持される。また、ボトムレール１５を下限まで下降させたとき、水平部１６が水平方向に保持された状態でピッチ保持コード１４が緊張されるようになっている。
【００３６】
このように構成されたボトムレール１５では、第一の実施の形態のボトムレール１１で得られた作用効果の（１）〜（４）と同様な作用効果を得ることができる。
（第三の実施の形態）
図３は、第三の実施の形態を示す。この実施の形態のボトムレール２０は、図１に示すボトムレール１１をさらに具体化したものであり、形材により水平部２１と垂直部２２が一体に形成されている。
【００３７】
前記水平部２１には、前記第二の実施の形態と同様な生地押さえ１８でスクリーン４の下端部が保持されるとともに、板状の錘２３が横方向に取着されている。また、水平部２１の後端部に昇降コード５が取着されている。そして、水平部２１と垂直部２２の形状と錘２３により、ボトムレール２０の重心Ｗは、昇降コード５の取付位置の下方に位置している。
【００３８】
前記垂直部２２にはピッチ保持コード１４の下端が取着され、スクリーン４を下方へ引き延ばしたとき、ピッチ保持コード１４により折り目１の間隔が一定に保持される。また、ボトムレール２０を下限まで下降させたとき、水平部２１が水平方向に保持された状態でピッチ保持コード１４が緊張されるようになっている。
【００３９】
このように構成されたボトムレール２０では、第一の実施の形態と同様な作用効果を得ることができる。
上記実施の形態は、以下の態様で実施してもよい。
・ボトムレールは、昇降コードの取付位置の下方に重心が位置するような形状であれば、任意の断面形状としてもよい。
【図面の簡単な説明】
【００４０】
【図１】第一の実施の形態のボトムレールを示す側面図である。
【図２】第二の実施の形態のボトムレールを示す側面図である。
【図３】第三の実施の形態のボトムレールを示す側面図である。
【図４】（ａ）（ｂ）はプリーツスクリーンの引き出し及び畳み込み動作を示す側面図である。
【図５】（ａ）（ｂ）はプリーツスクリーンの引き出し及び畳み込み動作時にスクリーンに作用する力を示す側面図である。
【図６】（ａ）〜（ｃ）はボトムレールの従来例を示す側面図である。
【図７】（ａ）〜（ｃ）はボトムレールの従来例を示す側面図である。
【図８】（ａ）〜（ｃ）はボトムレールの従来例を示す側面図である。
【符号の説明】
【００４１】
３…昇降コード保持部（接合片）、４…スクリーン、５…昇降コード、１１，１５，２０…ボトムレール、１４…ピッチ保持コード。
【図１】
0003133484.tif 000003
【図２】
0003133484.tif 000004
【図３】
0003133484.tif 000005
【図４】
0003133484.tif 000006
【図５】
0003133484.tif 000007
【図６】
0003133484.tif 000008
【図７】
0003133484.tif 000009
【図８】
0003133484.tif 000010